(57)【特許請求の範囲】
【請求項１】
建物内に設置されたエレベータを制御するエレベータ制御装置と、ピット浸水検出装置とを備えるエレベータシステムにおいて、
前記ピット浸水検出装置は、前記エレベータのピット内への浸水を検出している間、ピット浸水検出信号を継続的に前記エレベータ制御装置に送信するピット浸水検出信号送信部を有し、
前記エレベータ制御装置は、
当該建物が該当する地域に津波に関する注意報または警報が発令されており、且つ前記ピット浸水検出信号が入力されていないときには、予め設定された、前記エレベータの乗りかごが津波で浸水しないと予測される特定の階間でエレベータを運転させ、前記津波に関する注意報または警報が発令されており、且つ前記ピット浸水検出信号が入力されているときには、前記乗りかごを最寄階に着床させた後、前記エレベータの運転を休止させる制御部を有する
ことを特徴とするエレベータシステム。
【請求項２】
前記エレベータ制御装置の制御部は、
前記津波に関する注意報または警報が解除された後、前記ピット浸水検出信号が入力されているときには、前記エレベータの運転を休止させ、
前記津波に関する注意報または警報が解除された後、前記ピット浸水検出信号が入力されていないときには、前記エレベータの通常運転を復帰させる
ことを特徴とする請求項１に記載のエレベータシステム。
【請求項３】
前記建物内の低層階に設置された低層階浸水検出装置と、高層階に設置された高層階浸水検出装置とをさらに備え、
前記低層階浸水検出装置は、前記建物の低層階での浸水を検出している間、低層階浸水検出信号を継続的に前記エレベータ制御装置に送信する低層階浸水検出信号送信部を有し、
前記高層階浸水検出装置は、前記建物の高層階での浸水を検出している間、高層階浸水検出信号を継続的に前記エレベータ制御装置に送信する高層階浸水検出信号送信部を有し、
前記エレベータ制御装置の制御部は、
前記津波に関する注意報または警報が解除された後、前記ピット浸水検出信号が入力され、前記低層階浸水検出信号が入力されていないときには、前記低層階浸水検出装置の設置位置に該当する階床以上の階間でエレベータを運転させ、
前記津波に関する注意報または警報が解除された後、前記ピット浸水検出信号および前記低層階浸水検出信号が入力され、前記高層階浸水検出信号が入力されていないときには、前記高層階浸水検出装置の設置位置に該当する階床以上の階間でエレベータを運転させ、前記津波に関する注意報または警報が解除された後、前記ピット浸水検出信号、前記低層階浸水検出信号、および前記高層階浸水検出信号がいずれも入力されているときには、前記エレベータの運転を休止させる
ことを特徴とする請求項１に記載のエレベータシステム。
【請求項４】
前記建物の近隣地域内の外部エレベータシステムにさらに接続され、
前記エレベータ制御装置の制御部は、
前記外部エレベータシステムで浸水が検出されている間、前記乗りかごを予め設定された避難階に着床させて前記エレベータの運転を休止させ、
前記外部エレベータシステムで浸水が検出されなくなった後、前記ピット浸水検出信号が入力されているときには、前記エレベータの運転を休止させ、
前記外部エレベータシステムで浸水が検出されなくなった後、前記ピット浸水検出信号が入力されていないときには、前記エレベータの通常運転を復帰させる
ことを特徴とする請求項１または２に記載のエレベータシステム。
【請求項５】
前記津波に関する注意報または警報には津波高さ予測情報が付加され、
前記エレベータ制御装置の制御部は、
前記津波に関する注意報または警報が発令されており、且つ前記ピット浸水検出信号が入力されていないときには、予め記憶された当該建物の各階床ごとの海抜情報と、当該津波に関する注意報または警報に付加されている津波高さ予測情報とから決定された、前記乗りかごが津波で浸水しないと予測される特定の階間でエレベータを運転させる
ことを特徴とする請求項１〜４いずれか１項に記載のエレベータシステム。
【請求項６】
建物内に設置されたエレベータのピット内への浸水を検出している間、ピット浸水検出信号を継続的に出力するピット浸水検出装置に接続されるエレベータ制御装置において、
当該建物が該当する地域に津波に関する注意報または警報が発令されており、且つ前記ピット浸水検出装置からの前記ピット浸水検出信号が入力されていないときには、予め設定された、前記エレベータの乗りかごが津波で浸水しないと予測される特定の階間でエレベータを運転させ、前記津波に関する注意報または警報が発令されており、且つ前記ピット浸水検出信号が入力されているときには、前記乗りかごを最寄階に着床させた後、前記エレベータの運転を休止させる制御部を有することを特徴とするエレベータ制御装置。
【発明の詳細な説明】
【技術分野】
【０００１】
本発明の実施形態は、エレベータシステムおよびこれに利用するエレベータ制御装置に関する。
【背景技術】
【０００２】
従来、地震の発生により津波注意報、津波警報、または大津波警報等が発令されたときには、エレベータ内で津波対策用の管制運転を行うことにより、乗りかごの浸水を回避し、機器の破損を防ぐとともに乗りかご内の利用者の安全を確保している。
【０００３】
津波対策用の管制運転では例えば、津波に関する注意報または警報が発令されたときに乗りかごを最上階まで移動させ、その後運転を休止させる。
【先行技術文献】
【特許文献】
【０００４】
【特許文献１】特開２０１３−１８０８７１号公報
【発明の概要】
【発明が解決しようとする課題】
【０００５】
しかし、津波に関する注意報または警報が発令されても実際には津波が発生しないことがあり、結果的には津波対策が必要ないにもかかわらず上述したような管制運転が行われてエレベータが停止してしまい、建物内の利用者の利便性が低下する場合があった。
【０００６】
本発明は上記事情に鑑みてなされたものであり、津波発生の判断の精度を高め、利用者の利便性をなるべく低下させずに津波対策用の管制運転を実行可能とするエレベータシステムおよびこれに利用するエレベータ制御装置を提供することを目的とする。
【課題を解決するための手段】
【０００７】
上記目的を達成するための実施形態によればエレベータシステムはエレベータ制御装置とピット浸水検出装置とを備える。ピット浸水検出装置はピット内への浸水を検出している間、ピット浸水検出信号を継続的に生成してエレベータ制御装置に送信する。エレベータ制御装置は、当該建物が該当する地域に津波に関する注意報または警報が発令されており、且つピット浸水検出信号が入力されていないときには、予め設定された特定の階間でエレベータを運転させ、津波に関する注意報または警報が発令されており、且つピット浸水検出信号が入力されているときには、乗りかごを最寄階に着床させた後、エレベータの運転を休止させる。
【図面の簡単な説明】
【０００８】
【図１】第１実施形態によるエレベータシステムの構成を示す全体図。
【図２】第１実施形態によるエレベータ制御装置の構成を示す説明図。
【図３】第１実施形態によるエレベータ制御装置の動作を示すフローチャート。
【図４】第２実施形態によるエレベータシステムの構成を示す全体図。
【図５】第２実施形態によるエレベータ制御装置の構成を示す説明図。
【図６】第２実施形態によるエレベータ制御装置の動作を示すフローチャート。
【図７】第３実施形態によるエレベータシステムの構成を示す全体図。
【図８】第３実施形態によるエレベータ制御装置の構成を示す説明図。
【図９】第３実施形態によるエレベータ制御装置の動作を示すフローチャート。
【図１０】第４実施形態によるエレベータシステムの構成を示す全体図。
【図１１】第４実施形態によるエレベータ制御装置の構成を示す説明図。
【図１２】第４実施形態によるエレベータ制御装置の動作を示すフローチャート。
【発明を実施するための形態】
【０００９】
《第１実施形態》
〈第１実施形態によるエレベータ制御装置を利用したエレベータシステムの構成〉
本発明の第１実施形態によるエレベータ制御装置を利用したエレベータシステムの構成について、図１および図２を参照して説明する。
【００１０】
本実施形態によるエレベータシステム１Ａは建物内に設置されたエレベータを管理するものであり、図１に示すように、津波情報システム１０Ａと、ピット浸水検出装置２０Ａと、エレベータの乗りかご３０Ａと、エレベータ制御装置４０Ａとを備える。
【００１１】
津波情報システム１０Ａは、津波に関する注意報または警報が発令されている間、津波信号１０１を生成して所定時間間隔で継続的にエレベータ制御装置４０Ａに送信する。ピット浸水検出装置２０Ａは、当該エレベータのピット内に設置され、ピット内への浸水を検出している間、ピット浸水検出信号２０１を生成して所定時間間隔で継続的にエレベータ制御装置４０Ａに送信する。
【００１２】
エレベータ制御装置４０Ａは、津波情報システム１０Ａ、ピット浸水検出装置２０Ａ、および乗りかご３０Ａに接続され、図２に示すように、信号入力装置４１Ａと、演算処理装置４２Ａと、信号出力装置４３Ａとを有する。信号入力装置４１Ａおよび信号出力装置４３Ａはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００１３】
信号入力装置４１Ａは、津波情報システム１０Ａからの津波信号１０１の入力が開始したときに、対応するレジスタ＜0＞のデータを“0”から“1”に変更して記憶する。また信号入力装置４１Ａは、ピット浸水検出装置２０Ａから送信されたピット浸水検出信号２０１の入力が開始したときに、対応するレジスタ＜1＞のデータを“0”から“1”に変更して記憶する。
【００１４】
演算処理装置４２Ａは、信号入力装置４１Ａのレジスタ＜0＞のデータが“0”から“1”に変更されると、津波が到来する可能性があると判断して津波対策用の管制運転である津波管制運転を開始する。このときにピット浸水検出信号２０１が入力されておらず信号入力装置４１Ａのレジスタ＜1＞のデータが“0”のままであるときには、当該建物に津波が到達していないと判断し、信号出力装置４３Ａの第１かご制御信号（管制）４０１に対応するレジスタ＜0＞のデータを“0”から“1” に変更する。また、津波管制運転を開始した後、信号入力装置４１Ａのレジスタ＜1＞のデータが“0”から“1”に変更されると、津波が到達してピット内が浸水したと判断し、信号出力装置４３Ａの第２かご制御信号（管制）４０２に対応するレジスタ＜1＞のデータを“0”から“1” に変更する。また、第２かご制御信号（管制）４０２に対応するレジスタ＜1＞のデータを“0”から“1” に変更した後、乗りかご３０Ａが最寄階に着床したと判断すると、信号出力装置４３Ａの休止信号４０３に対応するレジスタ＜2＞のデータを“0”から“1” に変更する。
【００１５】
また演算処理装置４２Ａは、信号入力装置４１Ａのレジスタ＜0＞のデータが“1”から“0”に変更されると、津波情報が解除されたと判断し、信号出力装置４３Ａの第１かご制御信号（管制）４０１に対応するレジスタ＜0＞および第２かご制御信号（管制）４０２に対応するレジスタ＜1＞のデータを“0” にする。このとき、信号入力装置４１Ａにおいてピット浸水検出装置２０Ａからのピット浸水検出信号２０１が入力されているときには、ピット内への浸水が継続していると判断し、信号出力装置４３Ａのレジスタ＜2＞のデータを“1” で維持する（エレベータの運転の休止を継続する）。また、ピット浸水検出装置２０Ａからのピット浸水検出信号２０１が入力されていない場合や、ピット浸水検出信号２０１が入力された状態から入力されない状態に切り替わった場合は、ピット内は浸水してないと判断し、信号出力装置４３Ａの通常運転信号４０４に対応するレジスタ＜6＞のデータを“0”から“1” に変更する。
【００１６】
信号出力装置４３Ａは、レジスタ＜0＞のデータが“0”から“1”に変わったことを検知すると、予め設定された、乗りかご３０Ａが津波で浸水しないと予測される特定の階間でエレベータを運転させるための第１かご制御信号（管制）４０１を生成し、乗りかご３０Ａや巻き上げ機（図示せず）等の機器に送信する。また信号出力装置４３Ａは、レジスタ＜1＞のデータが“0”から“1”に変わったことを検知すると、乗りかご３０Ａを最寄階に着床させるための第２かご制御信号（管制）４０２を生成し、乗りかご３０Ａや巻き上げ機等の機器に送信する。また信号出力装置４３Ａは、レジスタ＜2＞のデータが“0”から“1”に変わったことを検知すると、エレベータの運転を休止させるための休止信号４０３を生成し、当該エレベータ内の各機器に送信する。また信号出力装置４３Ａは、レジスタ＜6＞のデータが“0”から“1”に変わったことを検知すると、エレベータを通常運転に復帰させるための通常運転信号４０４を生成し、当該エレベータ内の各機器に送信する。
【００１７】
〈第１実施形態によるエレベータ制御装置を利用したエレベータシステムの動作〉
次に、本実施形態によるエレベータシステム１Ａの動作について説明する。図３は、エレベータシステム１Ａの動作中に、エレベータ制御装置４０Ａで実行される処理を示すフローチャートである。
【００１８】
地震が発生し、外部の気象情報に関するシステム等により津波に関する注意報または警報が発令されると、津波情報システム１０Ａにより津波信号１０１が生成される。津波信号１０１は、当該注意報または警報が解除されるまでの間、所定時間間隔で継続的にエレベータ制御装置４０Ａに送信される。
【００１９】
エレベータ制御装置４０Ａでは、通常運転中（Ｓ１）に津波情報システム１０Ａから送信された津波信号１０１が信号入力装置４１Ａから入力されると（Ｓ２の「YES」）、レジスタ＜0＞のデータが“0”から“1”に変更されて記憶される。
【００２０】
信号入力装置４１Ａのレジスタ＜0＞のデータが“0”から“1”に変更されると、演算処理装置４２Ａにおいて津波が到来する可能性があると判断され、津波管制運転が開始される（Ｓ３）。
【００２１】
一方、ピット浸水検出装置２０Ａでは、当該エレベータのピット内への浸水が検出されると、ピット浸水検出信号２０１が生成される。ピット浸水検出信号２０１は、ピット内への浸水が検出されなくなるまでの間、所定時間間隔で継続的にエレベータ制御装置４０Ａに送信される。
【００２２】
エレベータ制御装置４０Ａでは、津波管制運転が開始された後、ピット浸水検出装置２０Ａからピット浸水検出信号２０１が送信されず、信号入力装置４１Ａのレジスタ＜1＞のデータが“0”のままであるとき（Ｓ４の「NO」）には、演算処理装置４２Ａにおいて当該建物に津波が到達していないと判断され、信号出力装置４３Ａの第１かご制御信号（管制）４０１に対応するレジスタ＜0＞のデータが“0”から“1” に変更される。
【００２３】
信号出力装置４３Ａにおいて、レジスタ＜0＞のデータが“0”から“1” に変更されたことが検知されると、予め設定された、乗りかご３０Ａが津波で浸水しないと予測される特定の階間でエレベータを運転させるための第１かご制御信号（管制）４０１が生成され、乗りかご３０Ａや巻き上げ機等、エレベータ内の機器に送信される。「乗りかご３０Ａが津波で浸水しないと予測される特定の階間」は建物の構造や位置に基づいて予め設定されており、例えば、３階〜最上階などである。第１かご制御信号（管制）４０１が受信された各機器では、当該特定の階間でエレベータを運転させるように制御される（Ｓ５）。特定の階間でエレベータの運転が行われている間、津波信号１０１が継続して入力されている間は（Ｓ６の「NO」）、ステップＳ４に戻り、ピット浸水検出信号２０１が入力されたか否かが監視される。
【００２４】
ステップＳ４において、津波管制運転が開始された後、ピット浸水検出装置２０Ａから送信されたピット浸水検出信号２０１が信号入力装置４１Ａから入力されると（Ｓ４の「YES」）、該当するレジスタ＜1＞のデータが“0”から“1”に変更されて記憶される。
【００２５】
信号入力装置４１Ａのレジスタ＜1＞のデータが“0”から“1”に変更されると、演算処理装置４２Ａにおいて津波が到達したと判断され、信号出力装置４３Ａの第２かご制御信号（管制）４０２に対応するレジスタ＜1＞のデータが“0”から“1” に変更される。ここで、信号出力装置４３Ａのレジスタ＜0＞のデータが“1”であるときには、“0”に変更される。
【００２６】
信号出力装置４３Ａにおいて、レジスタ＜1＞のデータが“0”から“1” に変更されたことが検知されると、乗りかご３０Ａを最寄階に着床させるための第２かご制御信号（管制）４０２が生成され、乗りかご３０Ａや巻き上げ機等、エレベータ内の機器に送信される。第２かご制御信号（管制）４０２が受信された各機器では、乗りかご３０Ａが最寄階に着床するように制御される。
【００２７】
その後、演算処理装置４２Ａにおいて乗りかご３０Ａが最寄階に着床したと判断されると、信号出力装置４３Ａの休止信号４０３に対応するレジスタ＜2＞のデータが“0”から“1” に変更される。
【００２８】
信号出力装置４３Ａにおいて、レジスタ＜2＞のデータが“0”から“1” に変更されたことが検知されると、エレベータの運転を休止させるための休止信号４０３が生成され、当該エレベータ内の各機器に送信される。休止信号４０３が受信された各機器は、休止状態に移行される（Ｓ７）。その後、発令されていた津波に関する注意報または警報が解除されると、津波情報システム１０Ａからエレベータ制御装置４０Ａへの津波信号１０１の送信が停止される。
【００２９】
エレベータの運転休止中に、エレベータ制御装置４０Ａにおいて津波情報システム１０Ａからの津波信号１０１の入力がなくなり、信号入力装置４１Ａのレジスタ＜0＞のデータが“1”から“0” に変更されたことが検知されたとき（Ｓ８の「YES」）、または、ステップＳ６において特定の階間で運転中に津波信号１０１の入力がなくなったことが検知されたとき（Ｓ６の「YES」）には、演算処理装置４２Ａにおいて津波に関する注意報または警報が解除され津波が到来する可能性がなくなったと判断され、津波管制運転が解除される（Ｓ９）。津波管制運転が解除されると、信号出力装置４３Ａのレジスタ＜0＞および＜1＞のデータが“0”となる。
【００３０】
ここで、ピット浸水検出装置２０Ａからピット浸水検出信号２０１が送信されており、信号入力装置４１Ａのレジスタ＜0＞のデータが“1”で維持されているとき（Ｓ１０の「YES」）には、演算処理装置４２Ａにおいてピットがまだ浸水状態であると判断され、信号出力装置４３Ａのレジスタ＜2＞のデータが“1”に維持され、運転休止状態が継続される（Ｓ１１）。また、津波管制運転が解除されたときにピット浸水検出装置２０Ａからピット浸水検出信号２０１が送信されておらず信号入力装置４１Ａのレジスタ＜0＞のデータが“0”であるとき（Ｓ１０の「NO」）には、演算処理装置４２Ａにおいてピットが浸水していないと判断され、信号出力装置４３Ａの通常運転信号４０４に対応するレジスタ＜6＞のデータが“0”から“1” に変更され、レジスタ＜0＞、＜1＞および＜2＞のデータがすべて“0”となる。
【００３１】
信号出力装置４３Ａにおいて、レジスタ＜6＞のデータが“0”から“1” に変更されたことが検知されると通常運転信号４０４が生成され、当該エレベータ内の各機器に送信されてエレベータが通常運転に復帰する（Ｓ１）。
【００３２】
以上の第１実施形態によれば、津波情報に加えてエレベータのピットへの浸水状況に関する情報も取得して津波の到来の有無を判断することにより、津波情報の発令後、津波が到来するまでの間や、津波情報の解除後、エレベータが浸水していないときに、可能な範囲でなるべくエレベータを運転させるように制御することができ、利用者に対する利便性を向上させることができる。
【００３３】
上述した第１実施形態においては、津波管制運転が開始された後、エレベータ制御装置４０Ａでピット浸水検出信号２０１が入力されたときに、乗りかご３０Ａを最寄階に着床させるように制御する場合について説明したが、予め設定された避難階（例えば最上階）に着床させるようにしてもよい。
【００３４】
《第２実施形態》
〈第２実施形態によるエレベータ制御装置を利用したエレベータシステムの構成〉
本発明の第２実施形態によるエレベータ制御装置を利用したエレベータシステムの構成について、図４および図５を参照して説明する。
【００３５】
本実施形態によるエレベータシステム１Ｂは、高層の建物内に設置され、図４に示すように、津波情報システム１０Ｂと、ピット浸水検出装置２０Ｂと、低層階浸水検出装置２１と、高層階浸水検出装置２２と、エレベータの乗りかご３０Ｂと、エレベータ制御装置４０Ｂとを備える。このうち、津波情報システム１０Ｂおよびピット浸水検出装置２０Ｂの構成および機能は、第１実施形態と同様であるため、詳細な説明は省略する。
【００３６】
低層階浸水検出装置２１は、当該建物の低層階内、例えば１０階建ての建物の「４階」に設置され、当該低層階での浸水を検出している間、低層階浸水検出信号２１１を生成して所定時間間隔で継続的にエレベータ制御装置４０Ｂに送信する。高層階浸水検出装置２２は、当該建物の高層階内、例えば１０階建ての建物の「７階」に設置され、当該高層階での浸水を検出している間、高層階浸水検出信号２２１を生成して所定時間間隔で継続的にエレベータ制御装置４０Ｂに送信する。
【００３７】
エレベータ制御装置４０Ｂは、津波情報システム１０Ｂ、ピット浸水検出装置２０Ｂ、低層階浸水検出装置２１、高層階浸水検出装置２２、および乗りかご３０Ｂに接続され、図５に示すように、信号入力装置４１Ｂと、演算処理装置４２Ｂと、信号出力装置４３Ｂとを有する。信号入力装置４１Ｂおよび信号出力装置４３Ｂはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００３８】
信号入力装置４１Ｂは、津波情報システム１０Ｂからの津波信号１０１の入力が開始したときに、対応するレジスタ＜0＞のデータを“0”から“1”に変更して記憶する。また信号入力装置４１Ｂは、ピット浸水検出装置２０Ｂから送信されたピット浸水検出信号２０１の入力が開始したときに、対応するレジスタ＜1＞のデータを“0”から“1”に変更して記憶する。また信号入力装置４１Ｂは、低層階浸水検出装置２１から送信された低層階浸水検出信号２１１の入力が開始したときに、対応するレジスタ＜2＞のデータを“0”から“1”に変更して記憶する。また信号入力装置４１Ｂは、高層階浸水検出装置２２から送信された高層階浸水検出信号２２１の入力が開始したときに、対応するレジスタ＜3＞のデータを“0”から“1”に変更して記憶する。
【００３９】
演算処理装置４２Ｂは、信号入力装置４１Ｂのレジスタ＜0＞のデータが“0”から“1”に変更されると、津波が到来する可能性があると判断して津波対策用の管制運転である津波管制運転を開始する。このときにピット浸水検出信号２０１が入力されておらず信号入力装置４１Ｂのレジスタ＜1＞のデータが“0”のままであるときには、当該建物に津波が到達していないと判断し、信号出力装置４３Ｂの第１かご制御信号（管制）４０１に対応するレジスタ＜0＞のデータを“0”から“1” に変更する。また、津波管制運転を開始した後、信号入力装置４１Ｂのレジスタ＜1＞、レジスタ＜2＞、またはレジスタ＜3＞のいずれかのデータが“0”から“1”に変更されると、津波が到達したと判断し、信号出力装置４３Ｂの第２かご制御信号（管制）４０２に対応するレジスタ＜1＞のデータを“0”から“1” に変更する。また、第２かご制御信号（管制）４０２に対応するレジスタ＜1＞のデータを“0”から“1” に変更した後、乗りかご３０Ｂが最寄階に着床したと判断すると、信号出力装置４３Ｂの休止信号４０３に対応するレジスタ＜2＞のデータを“0”から“1” に変更する。
【００４０】
また演算処理装置４２Ｂは、信号入力装置４１Ｂのレジスタ＜0＞のデータが“1”から“0”に変更されると、津波情報が解除されたと判断し、信号出力装置４３Ｂの第１かご制御信号（管制）４０１に対応するレジスタ＜0＞および第２かご制御信号（管制）４０２に対応するレジスタ＜1＞のデータを“1”から“0” にする。このとき、信号入力装置４１Ｂにおいてピット浸水検出装置２０Ｂからのピット浸水検出信号２０１が入力されていないときには、ピット内は浸水してないと判断し、信号出力装置４３Ｂの通常運転信号４０４に対応するレジスタ＜6＞のデータを“0”から“1” に変更する。
【００４１】
また、津波情報が解除されたときに、信号入力装置４１Ｂにおいてピット浸水検出装置２０Ｂからのピット浸水検出信号２０１は入力されているが、低層階浸水検出装置２１からの低層階浸水検出信号２１１は入力されていない場合には、ピット内は浸水しているが低層階では浸水していないと判断し、信号出力装置４３Ｂの第３かご制御信号（管制）４０５に対応するレジスタ＜3＞のデータを“0”から“1” に変更する。
【００４２】
また、津波情報が解除されたときに、信号入力装置４１Ｂにおいてピット浸水検出装置２０Ｂからのピット浸水検出信号２０１および低層階浸水検出装置２１からの低層階浸水検出信号２１１は入力されているが、高層階浸水検出装置２２からの高層階浸水検出信号２２１は入力されていない場合には、ピット内および低層階は浸水しているが高層階では浸水していないと判断し、信号出力装置４３Ｂの第４かご制御信号（管制）４０６に対応するレジスタ＜4＞のデータを“0”から“1” に変更する。
【００４３】
信号出力装置４３Ｂは、レジスタ＜0＞のデータが“0”から“1”に変わったことを検知すると、予め設定された、乗りかご３０Ｂが津波で浸水しないと予測される特定の階間でエレベータを運転させるための第１かご制御信号（管制）４０１を、乗りかご３０Ｂや巻き上げ機（図示せず）等の機器に送信する。また信号出力装置４３Ｂは、レジスタ＜1＞のデータが“0”から“1”に変わったことを検知すると、乗りかご３０Ｂを最寄階に着床させるための第２かご制御信号（管制）４０２を、乗りかご３０Ｂや巻き上げ機等の機器に送信する。また、レジスタ＜2＞のデータが“0”から“1”に変わったことを検知すると、エレベータの運転を休止させるための休止信号４０３を、当該エレベータ内の各機器に送信する。また信号出力装置４３Ｂは、レジスタ＜3＞のデータが“0”から“1”に変わったことを検知すると、低層階浸水検出装置２１の設置位置に該当する階床以上の階間でエレベータを運転させるための第３かご制御信号（管制）４０５を、乗りかご３０Ｂや巻き上げ機等の機器に送信する。また信号出力装置４３Ｂは、レジスタ＜4＞のデータが“0”から“1”に変わったことを検知すると、高層階浸水検出装置２２の設置位置に該当する階床以上の階間でエレベータを運転させるための第４かご制御信号（管制）４０６を、乗りかご３０Ｂや巻き上げ機等の機器に送信する。また信号出力装置４３Ｂは、レジスタ＜6＞のデータが“0”から“1”に変わったことを検知すると、エレベータを通常運転に復帰させるための通常運転信号４０４を、当該エレベータ内の各機器に送信する。
【００４４】
〈第２実施形態によるエレベータ制御装置を利用したエレベータシステムの動作〉
次に、本実施形態によるエレベータシステム１Ｂの動作について説明する。図６は、エレベータシステム１Ｂの動作中に、エレベータ制御装置４０Ｂで実行される処理を示すフローチャートである。
【００４５】
地震が発生し、外部の気象情報に関するシステム等により津波注意報、津波警報、または大津波警報等が発令されると、津波情報システム１０Ｂにより津波信号１０１が生成される。津波信号１０１は、当該注意報または警報が解除されるまでの間、所定時間間隔で継続的にエレベータ制御装置４０Ｂに送信される。
【００４６】
エレベータ制御装置４０Ｂでは、通常運転中（Ｓ２１）に津波情報システム１０Ｂから送信された津波信号１０１が信号入力装置４１Ｂから入力されると（Ｓ２２の「YES」）、レジスタ＜0＞のデータが“0”から“1”に変更されて記憶される。
【００４７】
信号入力装置４１Ｂのレジスタ＜0＞のデータが“0”から“1”に変更されると、演算処理装置４２Ｂにおいて津波が到来する可能性があると判断され、津波管制運転が開始される（Ｓ２３）。
【００４８】
一方、ピット浸水検出装置２０Ｂにおいて当該エレベータのピット内への浸水が検出されると、ピット浸水検出信号２０１が生成される。同様に、低層階浸水検出装置２１において当該エレベータの低層階での浸水が検出されると、低層階浸水検出信号２１１が生成される。同様に、高層階浸水検出装置２２において当該エレベータの高層階での浸水が検出されると、高層階浸水検出信号２２１が生成される。生成されたピット浸水検出信号２０１、低層階浸水検出信号２１１、および高層階浸水検出信号２２１は、浸水が検出されなくなるまでの間、所定時間間隔で継続的にエレベータ制御装置４０Ｂに送信される。
【００４９】
エレベータ制御装置４０Ｂでは、津波管制運転が開始された後、ピット浸水検出信号２０１、低層階浸水検出信号２１１、または高層階浸水検出信号２２１のいずれもが送信されておらず、信号入力装置４１Ｂのレジスタ＜1＞、＜2＞、および＜3＞のデータが“0”のままであるとき（Ｓ２４の「NO」）には、演算処理装置４２Ｂにおいて当該建物に津波が到達していないと判断され、信号出力装置４３Ｂの第１かご制御信号（管制）４０１に対応するレジスタ＜0＞のデータが“0”から“1” に変更される。信号出力装置４３Ｂにおいて、レジスタ＜0＞のデータが“0”から“1” に変更されたことが検知されたときに実行されるステップＳ２５およびＳ２６の処理は、第１実施形態において説明したステップＳ５およびＳ６の処理と同様であるため、詳細な説明は省略する。
【００５０】
また、ステップＳ２４において、ピット浸水検出信号２０１、低層階浸水検出信号２１１、または高層階浸水検出信号２２１のいずれかが信号入力装置４１Ｂから入力されると（Ｓ２４の「YES」）、該当するレジスタ＜1＞、＜2＞、または＜3＞のデータが“0”から“1”に変更されて記憶される。
【００５１】
信号入力装置４１Ｂのレジスタ＜1＞、＜2＞、または＜3＞のデータが“0”から“1” に変更されたことが検知された後に実行されるステップＳ２７〜Ｓ２９の処理は、第１実施形態において説明したステップＳ７〜Ｓ９の処理と同様であるため、詳細な説明は省略する。
【００５２】
ステップＳ２９において津波管制運転が解除されたときに、ピット浸水検出装置２０Ｂからピット浸水検出信号２０１が送信されており、信号入力装置４１Ｂのレジスタ＜1＞のデータが“1”であるとき（Ｓ３０の「YES」）には、さらに、低層階浸水検出装置２１から低層階浸水検出信号２１１が送信されているか否かが判定される。ここで、ピット浸水検出信号２０１は送信されているが低層階浸水検出信号２１１は送信されておらず、信号入力装置４１Ｂのレジスタ＜2＞のデータが“0”であるとき（Ｓ３１の「NO」）には、演算処理装置４２Ｂによりピット内は浸水しているが低層階では浸水していないと判断され、信号出力装置４３Ｂの第３かご制御信号（管制）４０５に対応するレジスタ＜3＞のデータが“0”から“1” に変更される。
【００５３】
信号出力装置４３Ｂにおいて、レジスタ＜3＞のデータが“0”から“1” に変更されたことが検知されると第３かご制御信号（管制）４０５が生成され、乗りかご３０Ｂや巻き上げ機等の機器に送信されることで、低層階浸水検出装置２１の設置位置に該当する階床以上の階間でエレベータの運転が行われる（Ｓ３２）。
【００５４】
ステップＳ３１において、ピット浸水検出信号２０１および低層階浸水検出信号２１１のいずれも送信されており、信号入力装置４１Ｂのレジスタ＜1＞および＜2＞のデータが“1”であるとき（Ｓ３１の「YES」）には、さらに、高層階浸水検出装置２２から高層階浸水検出信号２２１が送信されているか否かが判定される。ここで、ピット浸水検出信号２０１および低層階浸水検出信号２１１は送信されているが高層階浸水検出信号２２１が送信されておらず、信号入力装置４１Ｂのレジスタ＜3＞のデータが“0”であるとき（Ｓ３３の「NO」）には、演算処理装置４２Ｂによりピット内および低層階は浸水しているが高層階では浸水していないと判断され、信号出力装置４３Ｂの第４かご制御信号（管制）４０６に対応するレジスタ＜4＞のデータが“0”から“1” に変更される。
【００５５】
信号出力装置４３Ｂにおいて、レジスタ＜4＞のデータが“0”から“1” に変更されたことが検知されると第４かご制御信号（管制）４０６が生成され、乗りかご３０Ｂや巻き上げ機等の機器に送信されることで、高層階浸水検出装置２２の設置位置に該当する階床以上の階間でエレベータの運転が行われる（Ｓ３４）。
【００５６】
ステップＳ３３において、ピット浸水検出信号２０１、低層階浸水検出信号２１１、高層階浸水検出信号２２１のいずれも送信されており、信号入力装置４１Ｂのレジスタ＜1＞、＜2＞および＜3＞のデータが“1”であるとき（Ｓ３３の「YES」）には、演算処理装置４２Ｂにおいて高層階までがまだ浸水状態であると判断され、運転休止状態が継続される（Ｓ３５）。
【００５７】
ステップＳ３２またはＳ３４の処理により運転が行われているとき、またはステップＳ３５の処理により運転が休止されているときには、ピット浸水信号が入力されなくなるまで、ステップＳ３１〜Ｓ３５の処理が繰り返し実行される。
【００５８】
またステップＳ３０において、津波管制運転が解除されたときにピット浸水検出装置２０Ｂからピット浸水検出信号２０１が送信されておらず、信号入力装置４１Ｂのレジスタ＜1＞のデータが“0”であるとき（Ｓ３０の「NO」）には、演算処理装置４２Ｂにおいてピットが浸水していないと判断され、信号出力装置４３Ｂの通常運転信号４０４に対応するレジスタ＜6＞のデータが“0”から“1” に変更される。
【００５９】
信号出力装置４３Ｂにおいて、レジスタ＜6＞のデータが“0”から“1” に変更されたことが検知されると通常運転信号４０４が生成され、当該エレベータ内の各機器に送信されてエレベータが通常運転に復帰する（Ｓ２１）。
【００６０】
以上の第２実施形態によれば、第１実施形態と同様の効果を得ることができるとともに、津波情報が解除された後も、建物内の浸水状況に応じて可能な範囲でエレベータを運転させることができ、利用者の利便性をさらに向上させることができる。
【００６１】
《第３実施形態》
〈第３実施形態によるエレベータ制御装置を利用したエレベータシステムの構成〉
本発明の第３実施形態によるエレベータ制御装置を利用したエレベータシステムの構成について、図７および図８を参照して説明する。
【００６２】
本実施形態によるエレベータシステム１Ｃは、図７に示すように、津波情報システム１０Ｃと、ピット浸水検出装置２０Ｃと、乗りかご３０Ｃと、エレベータ制御装置４０Ｃとを備える。
【００６３】
津波情報システム１０Ｃは、津波に関する注意報または警報が発令されている間、津波信号１０１を生成して所定時間間隔で継続的にエレベータ制御装置４０Ｃに送信するとともに、発令された注意報または警報に付加された津波情報から津波の高さ予想情報を抽出し、抽出した津波の高さ予想情報を示す津波高さ信号１０２を生成してエレベータ制御装置４０Ｃに送信する。ピット浸水検出装置２０Ｃは、当該エレベータのピット内に設置され、ピット内への浸水を検出している間、ピット浸水検出信号２０１を生成して所定時間間隔で継続的にエレベータ制御装置４０Ｃに送信する。
【００６４】
エレベータ制御装置４０Ｃは、津波情報システム１０Ｃ、ピット浸水検出装置２０Ｃ、および乗りかご３０Ｃに接続され、図８に示すように、信号入力装置４１Ｃと、演算処理装置４２Ｃと、信号出力装置４３Ｃとを有する。信号入力装置４１Ｃおよび信号出力装置４３Ｃはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００６５】
信号入力装置４１Ｃは、津波情報システム１０Ｃからの津波信号１０１の入力が開始したときに、対応するレジスタ＜0＞のデータを“0”から“1”に変更して記憶する。また信号入力装置４１Ｃは、ピット浸水検出装置２０Ｃから送信されたピット浸水検出信号２０１の入力が開始したときに、対応するレジスタ＜1＞のデータを“0”から“1”に変更して記憶する。また信号入力装置４１Ｃは、津波情報システム１０Ｃから送信された津波高さ信号１０２の入力が開始したときに、対応するレジスタ＜4＞のデータを“0”から“1”に変更して記憶する。
【００６６】
演算処理装置４２Ｃは、信号入力装置４１Ｃのレジスタ＜0＞のデータが“0”から“1”に変更されると、津波が到来する可能性があると判断して、海抜に応じた津波対策用の管制運転である海抜対応管制運転を開始する。このときにピット浸水検出信号２０１が入力されておらず信号入力装置４１Ｃのレジスタ＜1＞のデータが“0”のままであるときには、当該建物に津波が到達していないと判断し、信号出力装置４３Ｃの第５かご制御信号（管制）４０７に対応するレジスタ＜0＞のデータを“0”から“1” に変更する。また、海抜対応管制運転を開始した後、信号入力装置４１Ｃのレジスタ＜1＞のデータが“0”から“1”に変更されると、津波が到達したと判断し、信号出力装置４３Ｃの第２かご制御信号（管制）４０２に対応するレジスタ＜1＞のデータを“0”から“1” に変更する。また、第２かご制御信号（管制）４０２に対応するレジスタ＜1＞のデータを“0”から“1” に変更した後、乗りかご３０Ｃが最寄階に着床したと判断すると、信号出力装置４３Ｃの休止信号４０３に対応するレジスタ＜2＞のデータを“0”から“1” に変更する。
【００６７】
また演算処理装置４２Ｃは、信号入力装置４１Ｃのレジスタ＜0＞のデータが“1”から“0”に変更されると、津波情報が解除されたと判断し、信号出力装置４３Ｃの第５かご制御信号（管制）４０７に対応するレジスタ＜0＞のデータを“1”から“0” に変更する。このとき、信号入力装置４１Ｃにおいてピット浸水検出装置２０Ｃからのピット浸水検出信号２０１が入力されているときには、ピット内への浸水が続いていると判断し、信号出力装置４３Ｃのレジスタ＜2＞のデータを“1” で維持する（エレベータの運転の休止を継続する）。また、ピット浸水検出装置２０Ｃからのピット浸水検出信号２０１が入力されていない場合や、ピット浸水検出信号２０１が入力された状態から入力されない状態に切り替わった場合は、ピット内は浸水してないと判断し、信号出力装置４３Ｃの通常運転信号４０４に対応するレジスタ＜6＞のデータを“0”から“1” に変更する。
【００６８】
信号出力装置４３Ｃは、レジスタ＜5＞のデータが“0”から“1”に変わったことを検知すると、予め記憶された当該建物の各階床ごとの海抜情報と、入力された津波高さ信号１０２で示される津波の高さ予測情報とから決定された、乗りかご３０Ｃが津波で浸水しないと予測される特定の階間でエレベータを運転させるための第５かご制御信号（管制）４０７を、乗りかご３０Ｃや巻き上げ機（図示せず）等の機器に送信する。また信号出力装置４３Ｃは、レジスタ＜1＞のデータが“0”から“1”に変わったことを検知すると、乗りかご３０Ｃを最寄階に着床させるための第２かご制御信号（管制）４０２を、乗りかご３０Ｃや巻き上げ機等の機器に送信する。また、レジスタ＜2＞のデータが“0”から“1”に変わったことを検知すると、エレベータの運転を休止させるための休止信号４０３を、当該エレベータ内の各機器に送信する。また信号出力装置４３Ｃは、レジスタ＜6＞のデータが“0”から“1”に変わったことを検知すると、エレベータを通常運転に復帰させるための通常運転信号４０４を、当該エレベータ内の各機器に送信する。
【００６９】
〈第３実施形態によるエレベータ制御装置を利用したエレベータシステムの動作〉
次に、本実施形態によるエレベータシステム１Ｃの動作について説明する。図９は、エレベータシステム１Ｃの動作中に、エレベータ制御装置４０Ｃで実行される処理を示すフローチャートである。
【００７０】
地震が発生し、津波情報が付加された津波に関する注意報または警報発令されると、津波情報システム１０Ｃにより津波信号１０１が生成されるとともに、発令された津波情報から津波の高さ予想情報が抽出され、抽出された津波の高さ予想情報を示す津波高さ信号１０２が生成される。津波信号１０１および津波高さ信号１０２は、当該津波情報が解除されるまでの間、所定時間間隔で継続的にエレベータ制御装置４０Ｃに送信される。
【００７１】
エレベータ制御装置４０Ｃでは、通常運転中（Ｓ４１）に津波情報システム１０Ｃから送信された津波信号１０１が信号入力装置４１Ｃから入力されると、レジスタ＜0＞のデータが“0”から“1”に変更されて記憶される。また、津波高さ信号１０２が信号入力装置４１Ｃから入力されると、レジスタ＜4＞のデータが“0”から“1”に変更されて記憶される（Ｓ４２の「YES」）。
【００７２】
信号入力装置４１Ｃのレジスタ＜0＞および＜4＞のデータが“0”から“1”に変更されると、演算処理装置４２Ｃにおいて津波が到来する可能性があると判断され、海抜対応管制運転が開始される（Ｓ４３）。
【００７３】
一方、ピット浸水検出装置２０Ｃでは、当該エレベータのピット内への浸水が検出されると、ピット浸水検出信号２０１が生成される。ピット浸水検出信号２０１は、ピット内への浸水が検出されなくなるまでの間、所定時間間隔で継続的にエレベータ制御装置４０Ｃに送信される。
【００７４】
エレベータ制御装置４０Ｃでは、海抜対応管制運転が開始された後、ピット浸水検出装置２０Ｃからピット浸水検出信号２０１が送信されず、信号入力装置４１Ｃのレジスタ＜1＞のデータが“1”のままであるとき（Ｓ４４の「NO」）には、演算処理装置４２Ｃにおいて当該建物に津波が到達していないと判断され、信号出力装置４３Ｃの第５かご制御信号（管制）４０７に対応するレジスタ＜5＞のデータが“0”から“1” に変更される。
【００７５】
信号出力装置４３Ｃにおいて、レジスタ＜5＞のデータが“0”から“1” に変更されたことが検知されると、予め記憶された当該建物の各階床ごとの海抜情報と、入力された津波高さ信号１０２で示される津波の高さ予測情報とから決定された、乗りかご３０Ｃが津波で浸水しないと予測される特定の階間でエレベータを運転させるための第１かご制御信号（管制）４０７が生成され、乗りかご３０Ｃや巻き上げ機等、エレベータ内の機器に送信される。ここで、乗りかご３０Ｃが津波で浸水しないと予測される特定の区間は、例えば、津波の高さ予測情報により津波が到達する可能性のある海抜より高い階床の区間で決定される。第５かご制御信号（管制）４０７が受信された各機器では、当該特定の階間でエレベータを運転させるように制御される（Ｓ４５）。特定の階間でエレベータの運転が行われている間、津波信号１０１が継続して入力されており信号入力装置４１Ｃのレジスタ＜0＞のデータが“1”に維持されていれば（Ｓ４６の「NO」）、ステップＳ４４に戻り、ピット浸水検出信号２０１が入力されたか否かが監視される。
【００７６】
ステップＳ４４において、津波管制運転が開始された後、ピット浸水検出装置２０Ｃから送信されたピット浸水検出信号２０１が信号入力装置４１Ｃに入力された後に実行されるステップＳ４７〜Ｓ５１の処理は、第１実施形態において説明したステップＳ７〜Ｓ１１の処理と同様であるため、詳細な説明は省略する。
【００７７】
以上の第３実施形態によれば、第１実施形態と同様の効果を得ることができるとともに、津波が到達するまでの間に、当該建物の各階床の海抜情報と、発令された津波情報に基づく津波の高さ予測情報とに基づいて決定された、乗りかごが津波で浸水しないと予測される特定の階間でエレベータを運転させるため、さらに高い精度で津波対策用の管制運転を行うことができる。
【００７８】
《第４実施形態》
〈第４実施形態によるエレベータ制御装置を利用したエレベータシステムの構成〉
本発明の第４実施形態によるエレベータ制御装置を利用したエレベータシステムの構成について、図１０および図１１を参照して説明する。
【００７９】
本実施形態によるエレベータシステム１Ｄは、外部エレベータ情報管理装置５０と、ピット浸水検出装置２０Ｄと、乗りかご３０Ｄと、エレベータ制御装置４０Ｄとを備える。
【００８０】
外部エレベータ情報管理装置５０は、近隣地域内の建物に設置された外部エレベータシステム６０に接続され、当該外部エレベータシステム６０とエレベータシステム１Ｄとの情報のやりとりを管理する。具体的には、近隣地域内の外部エレベータシステム６０で浸水が検知され、所定時間間隔で送信される近隣地域内エレベータ浸水報知信号６０１を取得している間、近隣地域内浸水信号５０１を生成して継続的にエレベータ制御装置４０Ｄに送信する。また外部エレベータ情報管理装置５０は、エレベータ制御装置４０Ｄから、自エレベータのピット内で浸水が検出されたことを示す自エレベータ浸水信号４０８を取得すると、これを近隣地域内の外部エレベータシステム６０に報知するための自エレベータ浸水報知信号５０２を生成し、外部エレベータシステム６０に送信する。
【００８１】
ピット浸水検出装置２０Ｄは、当該エレベータのピット内に設置され、ピット内への浸水を検出している間、ピット浸水検出信号２０１を生成して所定時間間隔で継続的にエレベータ制御装置４０Ｄに送信する。
【００８２】
エレベータ制御装置４０Ｄは、外部エレベータ情報管理装置５０、ピット浸水検出装置２０Ｄ、および乗りかご３０Ｄに接続され、図１１に示すように、信号入力装置４１Ｄと、演算処理装置４２Ｄと、信号出力装置４３Ｄとを有する。信号入力装置４１Ｄおよび信号出力装置４３Ｄはそれぞれ、予め設定された処理対象の情報を１ビットのデータ（“1”または“0”）で記憶する複数のレジスタ（レジスタ＜0＞、レジスタ＜1＞、レジスタ＜2＞・・・）を有する。
【００８３】
信号入力装置４１Ｄは、外部エレベータ情報管理装置５０からの近隣地域内浸水報知信号５０１の入力が開始したときに、対応するレジスタ＜5＞のデータを“0”から“1”に変更して記憶する。また信号入力装置４１Ｄは、ピット浸水検出装置２０Ｄから送信されたピット浸水検出信号２０１の入力が開始したときに、対応するレジスタ＜1＞のデータを“0”から“1”に変更して記憶する。
【００８４】
演算処理装置４２Ｄは、信号入力装置４１Ｄのレジスタ＜5＞のデータが“0”から“1”に変更されると、津波が短時間内に到来する可能性が大きいと判断して信号出力装置４３Ｄの休止信号４０３に対応するレジスタ＜2＞のデータを“0”から“1” に変更する。
【００８５】
また演算処理装置４２Ｄは、信号入力装置４１Ｄのレジスタ＜5＞のデータが“1”から“0”に変更されたときに、ピット浸水検出装置２０Ｄからのピット浸水検出信号２０１が入力されておりレジスタ＜1＞のデータが“1”であるときには、近隣地域の建物では浸水状態が解消されたが当該建物のピット内はまだ浸水していると判断し、信号出力装置４３Ｄのレジスタ＜2＞のデータを“1” で維持する（エレベータの運転の休止を継続する）。ここで、ピット浸水検出装置２０Ｄからのピット浸水検出信号２０１が入力されていない場合や、ピット浸水検出信号２０１が入力された状態から入力されない状態に切り替わった場合は、ピット内は浸水してないと判断し、信号出力装置４３Ｄの通常運転信号４０４に対応するレジスタ＜6＞のデータを“0”から“1” に変更する。また演算処理装置４２Ｄは、信号入力装置４１Ｄのレジスタ＜1＞のデータが“0”から“1”に変更されると、津波が到達してピット内が浸水したと判断し、信号出力装置４３Ｄの自エレベータ浸水信号４０８に対応するレジスタ＜7＞のデータを“1”から“0” に変更する。
【００８６】
信号出力装置４３Ｄは、レジスタ＜2＞のデータが“0”から“1”に変わったことを検知すると、予め設定された避難階に乗りかご３０Ｄを着床させてエレベータの運転を休止させるための休止信号４０３を、当該エレベータ内の各機器に送信する。また信号出力装置４３Ｄは、レジスタ＜7＞のデータが“0”から“1”に変わったことを検知すると、自エレベータのピット内が浸水したことを示す自エレベータ浸水信号４０８を、外部エレベータ情報管理装置５０に送信する。また信号出力装置４３Ｄは、レジスタ＜6＞のデータが“0”から“1”に変わったことを検知すると、エレベータを通常運転に復帰させるための通常運転信号４０４を、当該エレベータ内の各機器に送信する。
【００８７】
〈第４実施形態によるエレベータ制御装置を利用したエレベータシステムの動作〉
次に、本実施形態によるエレベータシステム１Ｄの動作について説明する。図１２は、エレベータシステム１Ｄの動作中に、エレベータ制御装置４０Ｄで実行される処理を示すフローチャートである。
【００８８】
まず、近隣地域内の外部エレベータシステム６０においてエレベータ内の浸水が検知されると、近隣地域内エレベータ浸水報知信号６０１が生成され、エレベータシステム１Ｄ内の外部エレベータ情報管理装置５０に送信される。外部エレベータ情報管理装置５０では、近隣地域内エレベータ浸水報知信号６０１が取得されると、近隣地域内の建物で浸水が発生したと判断され、近隣地域内浸水信号５０１が生成されてエレベータ制御装置４０Ｄに送信される。
【００８９】
エレベータ制御装置４０Ｄでは、通常運転中（Ｓ６１）に外部エレベータ情報管理装置５０から送信された近隣地域内浸水信号５０１が信号入力装置４１Ｄから入力されると、レジスタ＜5＞のデータが“0”から“1”に変更されて記憶される（Ｓ６２）。
【００９０】
信号入力装置４１Ｄのレジスタ＜5＞のデータが“0”から“1”に変更されると、演算処理装置４２Ｄにおいて当該建物においても浸水する可能性が大きいと判断され、信号出力装置４３Ｄの休止信号４０３に対応するレジスタ＜2＞のデータが“0”から“1” に変更される。
【００９１】
信号出力装置４３Ｄにおいて、レジスタ＜2＞のデータが“0”から“1” に変更されたことが検知されると、予め設定された避難階に乗りかご３０Ｄを着床させてエレベータの運転を休止させるための休止信号４０３が生成され、乗りかご３０Ｄや巻き上げ機等、エレベータ内の機器に送信される。休止信号４０３が受信された各機器は、乗りかご３０Ｄを避難階に着床させた後、休止状態に移行される（Ｓ６３）。
【００９２】
その後、近隣地域内の外部エレベータシステム６０において浸水が検知されなくなり、近隣地域内エレベータ浸水報知信号６０１が出力されなくなると、外部エレベータ情報管理装置５０からエレベータ制御装置４０Ｄへの近隣地域内浸水信号５０１の入力がなくなる。
【００９３】
エレベータの運転休止中に、エレベータ制御装置４０Ｄにおいて近隣地域内浸水信号５０１の入力がなくなり、信号入力装置４１Ｄのレジスタ＜5＞のデータが“1”から“0” に変更されたことが検知されると（Ｓ６４の「YES」）、演算処理装置４２Ｄにおいて近隣地域内の建物において浸水がなくなったと判断される。ここで、ピット浸水検出装置２０Ｄからピット浸水検出信号２０１が送信されており、信号入力装置４１Ｄのレジスタ＜0＞のデータが“1” であるとき（Ｓ６５の「YES」）には、演算処理装置４２Ｄにおいてピットが浸水状態であると判断され、運転休止状態が継続される（Ｓ６６）。また、ピット浸水検出装置２０Ｄからピット浸水検出信号２０１が送信されておらず信号入力装置４１Ｄのレジスタ＜0＞のデータが“0”であるとき（Ｓ６５の「NO」）には、演算処理装置４２Ｄにおいてピットが浸水していないと判断され、信号出力装置４３Ｄの通常運転信号４０４に対応するレジスタ＜6＞のデータが“0”から“1” に変更される。
【００９４】
信号出力装置４３Ｄにおいて、レジスタ＜6＞のデータが“0”から“1” に変更されたことが検知されると通常運転信号４０４が生成され、当該エレベータ内の各機器に送信されてエレベータが通常運転に復帰する（Ｓ６１）。
【００９５】
以上の第４実施形態によれば、近隣地域内の建物で浸水が発生するとこの情報を取得して当該建物内のエレベータの乗りかごを避難階に着床させて休止させるため、津波や大雨などによる浸水に対する管制運転を高い精度で行うことができる。また、自エレベータシステム内で浸水を検知したときにこの情報を近隣地域内の他のエレベータシステムに報知することで、他のエレベータシステムにおける浸水対策の支援をすることができる。
【００９６】
また上述した第４実施形態において、外部エレベータ情報管理装置に、近隣の海岸部のエレベータシステムを接続するようにしてもよい。近隣の海岸部のエレベータシステムを接続することにより、津波に関する注意報や警報が発令されていない場合でも、津波の発生情報をより早く且つ確実に取得することができ、当該建物内のエレベータに対し、迅速に津波対策を行うことができる。またこのとき、外部エレベータ情報管理装置に複数の近隣のエレベータシステムを接続しておき、所定数以上の複数のエレベータシステム内で浸水が検知されたときに津波が到来する可能性があると判断して乗りかごを避難階に移動させて休止させるようにしてもよい。
【００９７】
また上述した第１〜第４実施形態において、ピット浸水検出装置で浸水が検出された場合は、通常時のエレベータ制御で用いられているエレベータ機器のガバナやコンペンチェーンの伸び縮み検出装置などからの情報を遮断することで、浸水によりこれらの機器が故障または破損した場合でもエレベータの運行を可能にすることができる。また、エレベータのかご位置検出装置（例えば、パルスジェネレータ）等の機器が故障または破損した場合は、位置検出用の着検板の検出のみで乗りかごを最寄階に着床させるようにしてもよい。
【００９８】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００９９】
１Ａ，１Ｂ，１Ｃ，１Ｄ…エレベータシステム、１０Ａ，１０Ｂ，１０Ｃ…津波情報システム、２０Ａ，２０Ｂ，２０Ｃ，２０Ｄ…ピット浸水検出装置、２１…低層階浸水検出装置、２２…高層階浸水検出装置、４０Ａ，４０Ｂ，４０Ｃ，４０Ｄ…エレベータ制御装置、４１Ａ，４１Ｂ，４１Ｃ，４１Ｄ…信号入力装置、４２Ａ，４２Ｂ，４２Ｃ，４２Ｄ…演算処理装置、４３Ａ，４３Ｂ，４３Ｃ，４３Ｄ…信号出力装置、５０…外部エレベータ情報管理装置、６０…外部エレベータシステム、１０１…津波信号、１０２…津波高さ信号、２０１…ピット浸水検出信号、２１１…低層階浸水検出信号、２２１…高層階浸水検出信号、４０１…第１かご制御信号（管制）、４０２…第２かご制御信号（管制）、４０３…休止信号、４０４…通常運転信号、４０５…第３かご制御信号（管制）、４０６…第４かご制御信号（管制）、４０７…第５かご制御信号（管制）、４０８…自エレベータ浸水信号、５０１…近隣地域内浸水信号、５０２…自エレベータ浸水報知信号、６０１…近隣地域内エレベータ浸水報知信号
【要約】
【課題】  津波発生の判断の精度を高め、利用者の利便性をなるべく低下させずに津波対策用の管制運転を実行可能とするエレベータシステムおよびこれに利用するエレベータ制御装置を提供する。
【解決手段】  実施形態によればエレベータシステムはエレベータ制御装置とピット浸水検出装置とを備える。ピット浸水検出装置はピット内への浸水を検出している間、ピット浸水検出信号を継続的に生成してエレベータ制御装置に送信する。エレベータ制御装置は、当該建物が該当する地域に津波に関する注意報または警報が発令されており、且つピット浸水検出信号が入力されていないときには、予め設定された特定の階間でエレベータを運転させ、津波に関する注意報または警報が発令されており、且つピット浸水検出信号が入力されているときには、乗りかごを最寄階に着床させた後、エレベータの運転を休止させる。
【選択図】図１【図１】
0005923803.tif 000002
【図２】
0005923803.tif 000003
【図３】
0005923803.tif 000004
【図４】
0005923803.tif 000005
【図５】
0005923803.tif 000006
【図６】
0005923803.tif 000007
【図７】
0005923803.tif 000008
【図８】
0005923803.tif 000009
【図９】
0005923803.tif 000010
【図１０】
0005923803.tif 000011
【図１１】
0005923803.tif 000012
【図１２】
0005923803.tif 000013